(57)【要約】【課題】手軽に比較的安価に行うことができ、外観上目立たず、かぶれ等の心配もない、空腹感軽減具、及び空腹感軽減方法を提供することである。【解決手段】通電性の高い金属又は金属化合物の薄片、箔又は粉末、又は磁性体、トルマリン、カーボン又は炭素化合物の粉末と、薄片、箔又は粉末を、顔の正中線上における眉間の点と顔の正中線上における鼻根の点との間の個所又はその付近に定着させるための定着手段とを備えている。金属等の通電性は、常温での比抵抗が１０−６Ω・ｃｍのオーダーである。定着手段は、ベース・ペーストとキャタリスト・ペーストとから成る重合型シリコーン、或いは片面の全部又は一部に感圧接着剤を塗布した粘着テープである。【選択図】  図１
2005021310.tif 000002
【特許請求の範囲】
【請求項１】
通電性の高い金属又は金属化合物の薄片、箔又は粉末、又は磁性体、トルマリン、カーボン又は炭素化合物の粉末と、
前記薄片、箔又は粉末を、顔の正中線上における眉間の点と顔の正中線上における鼻根の点との間の個所又はその付近に定着させるための定着手段と、
を備えていることを特徴とする空腹感軽減具。
【請求項２】
前記金属又は金属化合物の通電性が、常温での比抵抗が１０−６Ω・ｃｍのオーダーであることを特徴とする請求項１に記載の空腹感軽減具。
【請求項３】
前記定着手段が、ベース・ペーストとキャタリスト・ペーストとから成る重合型シリコーン、或いは片面の全部又は一部に感圧接着剤を塗布した粘着テープであることを特徴とする請求項１又は２に記載の空腹感軽減具。
【請求項４】
顔の正中線上における眉間の点と顔の正中線上における鼻根の点との間の個所又はその付近に、通電性の高い金属又は金属化合物の薄片、箔又は粉末、又は磁性体、トルマリン、カーボン又は炭素化合物の粉末を定着させることを特徴とする空腹感軽減方法。
【請求項５】
前記金属又は金属化合物の通電性が、常温での比抵抗が１０−６Ω・ｃｍのオーダーであることを特徴とする請求項４に記載の空腹感軽減方法。
【請求項６】
前記定着が、重合型シリコーンを構成するベース・ペーストとキャタリスト・ペーストの一方又は両方に、前記薄片、箔又は粉末を混合した後に、ベース・ペーストとキャタリスト・ペーストを混合して、前記個所又はその付近に塗布することによって行われ、或いは、片面の全部又は一部に感圧接着剤を塗布した粘着テープを用いて行われることを特徴とする請求項４又は５に記載の空腹感軽減方法。
【発明の詳細な説明】
【０００１】
【発明の属する技術分野】
本発明は、空腹感軽減具、及び、この空腹感軽減具を用いる空腹感軽減方法に関する。
【０００２】
【従来の技術】
美容上の理由のみならず、健康上の理由のため食事制限を必要とする人は大勢おり、ダイエット方法も数限りなく提案されているが、決定的な方法はない。現実問題として、好きなだけ食べつつダイエットすることは殆ど不可能である。消費カロリーよりも摂取カロリーが多ければ太ることになり、いずれのダイエット方法を選択した場合であっても、ダイエットしようとする際における空腹感と食欲の克服が最大の障害になっている。
【０００３】
ダイエット方法の１つとして、耳ツボダイエットと称される方法が知られている。耳には、ダイエットに関連したツボが多数あるが、耳ツボダイエットは、食事前に耳のツボを指で強く摘んだり、束ねた楊枝で耳のツボを押して刺激することによって、空腹感を軽減させる方法である。また、鍼灸師による施術で耳ツボダイエットを行うこともあるが、この場合には、通常、耳の片側につき６か所程度のツボに金属粒を粘着テープ等で貼付する。これにより、空腹感をあまり感じなくなるため、食事の量が減り、しかも、ストレスが少なく、体調不良等の副作用も殆どないと言われている。
【０００４】
【発明が解決しようとする課題】
しかしながら、前者の方法では、連続的に長時間ツボに刺激を加えないと、ダイエット効果が得られない場合が大半である。また、後者の方法では、週に２回程度、１〜３か月の通院をする必要があるため、かなりの費用がかかり、手軽に実施できるとは言い難いのが実情である。さらに、後者の方法では、耳に金属粒を貼付するため、外観上目立ってしまい、また、貼付個所がかぶれる等の課題もある。
【０００５】
したがって、本発明は、手軽に比較的安価に行うことができ、外観上目立たず、かぶれ等の心配もない、空腹感軽減具、及び空腹感軽減方法を提供することを目的としている。
【０００６】
【課題を解決するための手段】
本願請求項１に記載の空腹感軽減具は、通電性の高い金属又は金属化合物の薄片、箔又は粉末、又は磁性体、トルマリン、カーボン又は炭素化合物の粉末と、前記薄片、箔又は粉末を、顔の正中線上における眉間の点と顔の正中線上における鼻根の点との間の個所又はその付近に定着させるための定着手段とを備えていることを特徴とするものである。
【０００７】
本願請求項２に記載の空腹感軽減具は、前記請求項１の空腹感軽減具において、前記金属又は金属化合物の通電性が、常温での比抵抗が１０−６Ω・ｃｍのオーダーであることを特徴とするものである。
【０００８】
本願請求項３に記載の空腹感軽減具は、前記請求項１又は２の空腹感軽減具において、前記定着手段が、ベース・ペーストとキャタリスト・ペーストとから成る重合型シリコーン、或いは片面の全部又は一部に感圧接着剤を塗布した粘着テープであることを特徴とするものである。
【０００９】
本願請求項４に記載の空腹感軽減方法は、顔の正中線上における眉間の点と顔の正中線上における鼻根の点との間の個所又はその付近に、通電性の高い金属又は金属化合物の薄片、箔又は粉末、又は磁性体、トルマリン、カーボン又は炭素化合物の粉末を定着させることを特徴とするものである。
【００１０】
本願請求項５に記載の空腹感軽減方法は、前記請求項４の空腹感軽減方法において、前記金属又は金属化合物の通電性が、常温での比抵抗が１０−６Ω・ｃｍのオーダーであることを特徴とするものである。
【００１１】
本願請求項６に記載の空腹感軽減方法は、前記請求項４又は５の空腹感軽減方法において、前記定着が、重合型シリコーンを構成するベース・ペーストとキャタリスト・ペーストの一方又は両方に、前記薄片、箔又は粉末を混合した後に、ベース・ペーストとキャタリスト・ペーストを混合して、前記個所又はその付近に塗布することによって行われ、或いは、片面の全部又は一部に感圧接着剤を塗布した粘着テープを用いて行われることを特徴とするものである。
【００１２】
【発明の実施の形態】
次に図面を参照して、本発明の好ましい実施の形態に係る空腹感軽減具について詳細に説明する。本発明の好ましいの形態に係る空腹感軽減具は、通電性の高い金属又は金属化合物の薄片、箔又は粉末を備えている。金属又は金属化合物の通電性は、常温での比抵抗が１０−６Ω・ｃｍのオーダー（即ち、Ｘ×１０−６Ω・ｃｍ、１≦Ｘ＜１０）であるのが好ましい。
【００１３】
薄片、箔又は粉末として使用される金属又は金属化合物としては、例えば、銀（１．６２×１０−６Ω・ｃｍ）、銅（１．７×１０−６Ω・ｃｍ）、金（２．４×１０−６Ω・ｃｍ）、アルミニウム（２．７３３×１０−６Ω・ｃｍ）があげられる。また、これらの金属は加工し易いので、薄片又は箔として使用する場合には、直径が約５ｍｍ〜約１０ｍｍの大きさのほぼ円形の薄片又は箔に加工するのがよい。
【００１４】
空腹感軽減具は又、薄片、箔又は粉末を皮膚の所定個所に定着させるための定着手段を備えている。定着手段としては、重合型シリコーン（好ましくは、付加重合型シリコーン）が用いられる。なお、シリコーンは、外科分野において体内に埋没させる素材として広く用いられており、生体に対する為害作用が極めて低い。
【００１５】
付加重合型シリコーンを例として、定着手段について詳細に説明する。付加重合型シリコーンは、基剤（通常「ベース」と称する）のペーストと反応剤（通常「キャタリスト」と称する）のペーストとを常温で錬和して分子間で架橋を生じさせ、これにより網目状の高分子化合物となって硬化する。ベース・ペーストとしては、分子末端にビニル基をもつシリコーンポリマー（例えば、ジメチルポリシロキサン）が用いられるが、このままの状態では液状であるため、無水珪酸などのフィラーを加えてペースト状にする。一方、キャタリスト・ペーストとしては、架橋剤となるポリメチルヒドロシロキサンに、塩化白金酸のような貴金属触媒とペースト状にするためのフィラーである無水珪酸とを加えたものが用いられる。
【００１６】
定着手段としては、重合型シリコーンの代わりに、片面の全部又は一部に感圧接着剤を塗布した粘着テープを使用してもよい。
【００１７】
次に、以上のように構成された空腹感軽減具を用いる空腹感軽減方法について説明する。本発明の空腹感軽減方法は、空腹感軽減具を顔面の所定個所に定着させることによって行われる。そこで、本発明の空腹感軽減方法を説明するに先立って、まず空腹感軽減具を定着させる個所（以下「定着個所」という）について説明する。図１は、顔面の正面図である。図１において、Ａは顔の正中線上における眉間の点を示し、Ｂは顔の正中線上における鼻の付け根のくぼみ（即ち、鼻根）の点を示し、ＣはＡとＢとの中間点を示している。このＣが、定着個所である。Ｃは、図１では点として示されているが、実際には、直径が約５ｍｍ〜約１０ｍｍのほぼ円形の領域である。なお、Ｃで示される領域は、世界保健機関（ＷＨＯ）が認定した３６１の経穴にはないばかりでなく、民間療法等でいわゆるツボとして認定されたこともなく、本発明により初めて空腹感軽減との関連が明らかになった領域である。
【００１８】
本発明の空腹感軽減方法では、混合前のベース・ペースト又はキャタリスト・ペーストの一方又は両方に、通電性の高い金属又は金属化合物の薄片又は箔、トルマリンの粉末、フェライト粉末、或いはカーボン粉末を混合する。混合する量は、微量で十分である。混合する量が多すぎると、シリコーンの重合が阻害されることがあり、形成されたシリコーン膜の劣化を引き起こすこともあるので、粉末等の混合により、やや乳白色半透明のシリコーンが僅かに着色される程度が好ましい。
【００１９】
このようにして準備したベース・ペーストとキャタリスト・ペーストを混合し、上述のＣ領域に少量の混合したペーストを指で塗り、１０ｍｍ程度の円形を形作るように広げる。この際、水で濡らした指先で、ペーストを軽く叩くようにし、塗ったペーストの縁部と皮膚との間に段差が生じないように広げると、ペーストと皮膚との見分けがつかない位に綺麗に仕上げることができる。銅粉末を用いた場合には、やや褐色になり、金粉末を用いた場合には、やや黄色になる。本発明者が種々の粉末等を用いて比較検討した結果では、ペーストに金粉末を混合したもの、又はペーストに金粉末と銅粉末を混合したものが、平均的な日本人の肌の色に合っており、ペーストが広げられて塗布されることによって極めて薄くなることと相まって、凝視しても見分けがつかない位に綺麗に仕上げることができることが分かった。
【００２０】
満腹中枢は視床下部の腹内側核に、摂食中枢は視床下部の外側野にあるとされている。上述のＣ領域は、外観上は顔の正中線上で眉間と鼻根との中間に位置するが、骨の解剖学的には鼻骨と前頭骨とのつなぎ目である前頭鼻骨縫合に相当する。また、東洋医学的には、骨縫合部は、経穴としてのセンサー的役割をもったものが多いが、上述のように、このＣ領域は、ＷＨＯが認定した３６１の経穴にはないものである。Ｃ領域と視床下部は、直線的に近い位置関係にあるが、Ｃ領域は、バイパスを形成する等、人体の電気的ネットワークにおいて重要なセンサー的な役割をもった領域であると推定される。すなわち、人体も原子によって構成され、人体の隅々にまで電気ネットワークが存在しているが、電気抵抗の低い（通電性の高い）金属をＣ領域に密着させると分極を生じて皮膚の表面と深部との間に電位差が発生し、微弱電流回路が形成され、これによりＣ領域が刺激されて空腹感が軽減されるものと推定される。試験の際にパッチを貼付してしばらくすると胃痛や腹痛がおさまったケースもあり、ダイエット中でもストレスが少ないことを考え合わせると、Ｃ領域は、視床下部に働きかけ、特に副交感神経を活性化するのではないかと考えている。
【００２１】
次に、以上のように構成された空腹感軽減具及び空腹感軽減方法の効果を実証するために行われた試験について説明する。被験者６名について空腹時にＣ領域に銅薄片を粘着テープで密着させたところ、被験者全員が、数分以内に空腹感を感じなくなった。それと同時に、被験者全員に、額付近が軽く締めつけられるような頭部違和感が生じた。この頭部違和感は、頭痛という程のものではなく、時間の経過につれて気にならなくなる程度のものであったが、空腹感軽減の効きはじめの指標として利用することができた。金属薄片を密着させて数分経過しても頭部に違和感を生じない場合には、銅薄片の定着個所を２〜３ｍｍ上方又は下方に移動させたり、通電性を増大させるために銅薄片を一度剥がして銅薄片に水を一滴たらして再度密着させると、効果的であった。
【００２２】
また、６名の被験者のうち２名について長期的に試験を行い、ダイエット効果の有無を検証した。２名のうち一方の被験者は、銅薄片のパッチを外出時以外には出来る限り使用するようにした。その結果、過度の食事制限をしなかったにもかかわらず、間食や夜食を欲しなくなり、食事量も自然と減少して、２カ月で５ｋｇの減量に成功した。他方の被験者は、付加重合型シリコーンに金又は銅の粉末を混合して塗る方法（外出時）と銅薄片のパッチを貼付する方法（夜間）を併用して試験を行った。その結果、試験開始当初から食事量を極端に減らしても耐えることができ、通常の半分程度の食事量で４〜５ｋｇ／月の減量に成功し、最終的には１５ｋｇの減量に成功した。図３は、その際の被験者の体重の変化を示したグラフである。体重の減少のみならず、体脂肪率も３０％から１８％に減少した。この被験者は、試験中に特別に運動をしたわけではなく、カロリー計算をしたり食品の制限をしたわけでもなく、通常の食事のメニューで食事量を半分程度に減らしたにすぎない。
【００２３】
以上の試験結果により、本発明の空腹感軽減具及び空腹感軽減方法を使用すれば、空腹感を軽減させることができ、これにより苦痛を伴わずに減量することができることが分かった。
【００２４】
本発明は、以上の発明の実施の形態に限定されることなく、特許請求の範囲に記載された発明の範囲内で、種々の変更が可能であり、それらも本発明の範囲内に包含されるものであることはいうまでもない。
【００２５】
たとえば、前記実施の形態では、金属又は金属化合物の薄片、箔又は粉末を使用しているが、金属又は金属化合物の薄片、箔又は粉末の代わりに、磁性体、トルマリン、カーボン粉末、又は炭素化合物を使用してもよい。磁性体、トルマリン、カーボン粉末、又は炭素化合物のうち磁性体は、通電性に変化を与えることができるので、磁気治療器に使用される小型のフェライト磁石やフェライト粉末を熱可塑性樹脂に混合してシート状に加工し、粘着テープ等を用いて皮膚のＣ領域に定着させる。また、トルマリンは、電気石とも呼ばれており、０．０６ミリアンペアの微弱な電気を発生させるため、例えばトルマリンを粉末にして熱可塑性樹脂に混合してシート状に加工したものや、トルマリンの粉末を混合したレーヨン等の繊維を布状にしたものを、粘着テープ等を用いて皮膚のＣ領域に定着させる。さらに、カーボンも通電性が高いので、カーボンや炭素化合物（例えば、炭化チタン）を粉末にして熱可塑性樹脂に混合してシート状に加工して、粘着テープ等を用いて皮膚のＣ領域に定着させる。
【００２６】
【発明の効果】
本発明によれば、空腹感を軽減させることができ、これにより、手軽に且つ比較的安価に、しかも苦痛を伴わずに減量することができる。また、定着手段として、重合型シリコーンを使用することにより、色彩の点でも三次元的な厚みの点でも外観上目立たずに、また、かぶれ等の心配をすることなしに、ダイエットを行うことが可能になる。なお、本発明の企図するものは、基本的には、空腹感の軽減である。現代社会においては飽食、過食が問題となっており、肥満を気にしている人も多数いるが、本発明を実施することにより、健康を損なうことなしに、次第に食が細くなり、肥満体質も改善され、究極的には、健康的な生活をおくることが可能になる。
【図面の簡単な説明】
【図１】本発明の空腹感軽減具を定着させる個所を示した顔の正面図である。
【図２】本発明の空腹感軽減具を定着させる個所を示した顔の側面図である。
【図３】本発明の空腹感軽減具の効果を実証するために行った試験における被験者の体重の変化を示したグラフである。
【図１】
2005021310.tif 000003
【図２】
2005021310.tif 000004
【図３】
2005021310.tif 000005